(57)【特許請求の範囲】
【請求項１】
中心部に貫通軸体を配置した通気性を有する円筒状又は多角筒状のドラム型で、内部に菌床資材、処理物の撹拌空間を、両側面中央部に各々前記貫通軸体を支持する軸支部を備え、外周部に開閉可能な菌床資材、処理物の投入口を備える回転撹拌槽と、
有底で上部が開口し、両側面の上端中央部に前記回転撹拌槽の各軸支部の支持部を備え、内部に前記回転撹拌槽の下部側を収容する収容空間を有する四角箱形状に形成され、当該四角箱形状の正面部、背面部には水平方向配置で、かつ、通気のための間隔を隔て複数枚の傾斜簾板を縦配列で列設し、当該各傾斜簾板の収容空間側の部分には防虫用の網材を貼って、防雨、防虫構造で、かつ、通気性構造とした処理機本体と、
前記処理機本体の開口上部に、この処理機本体内に配置される回転撹拌槽の上部側を覆うようにして開閉可能に連結されて、正面側、背面側には前記処理機本体と同様な通気のための傾斜簾板を各々配置し、当該傾斜簾板の内側には防虫用の網材を貼って、防雨、防虫構造で、かつ、通気性構造とした蓋体と、
回転撹拌槽の軸支部外側に取り付けた前記貫通軸体を回転操作する操作ハンドルと、
を有し、前記通気性構造とした処理機本体と通気性構造の回転撹拌槽との二重通気構造としたことを特徴とする家庭用生ゴミ処理機。
【請求項２】
中心部に貫通軸体を配置した通気性を有する円筒状又は多角筒状のドラム型で、内部に菌床資材、処理物の撹拌空間を、両側面中央部に各々前記貫通軸体を支持する軸支部を備え、外周部に外周方向にスライドして菌床資材、処理物の投入口を開口又は閉塞するスライド扉を備える回転撹拌槽と、
有底で上部が開口し、両側面の上端中央部に前記回転撹拌槽の各軸支部を着脱可能に支持する支持部を備え、内部に前記回転撹拌槽の下部側を収容する収容空間を有する四角箱形状に形成され、当該四角箱形状の正面部、背面部には水平方向配置で、かつ、通気のための間隔を隔て複数枚の傾斜簾板を縦配列で列設し、当該各傾斜簾板の収容空間側の部分には防虫用の網材を貼って、防雨、防虫構造で、かつ、通気性構造とした処理機本体と、
前記処理機本体の開口上部に、この処理機本体内に配置される回転撹拌槽の上部側を覆うようにして開閉可能に連結されて、正面側、背面側には前記処理機本体と同様な通気のための傾斜簾板を各々配置し、当該傾斜簾板の内側には防虫用の網材を貼って、防雨、防虫構造で、かつ、通気性構造とした蓋体と、
回転撹拌槽の軸支部外側に取り付けた前記貫通軸体を回転操作する操作ハンドルと、
を有し、前記通気性構造とした処理機本体と通気性構造の回転撹拌槽との二重通気構造としたことを特徴とする家庭用生ゴミ処理機。
【請求項３】
中心部に貫通軸体を配置した通気性を有する円筒状又は多角筒状のドラム型で、内部に菌床資材、処理物の撹拌空間を、両側面中央部に各々前記貫通軸体を支持する突条付直方体形状の軸支部を備え、外周部に外周方向にスライドして菌床資材、処理物の投入口を開口又は閉塞する摘み付スライド扉を備える回転撹拌槽と、
有底で上部が開口し、両側面の上端中央部に前記回転撹拌槽の各軸支部を水平配置で着脱可能に支持する前記突条が嵌合する受溝付の凹陥部を備え、内部に前記回転撹拌槽の下部側を収容する収容空間を有する四角箱形状に形成され、当該四角箱形状の正面部、背面部には水平方向配置で、かつ、通気のための間隔を隔て複数枚の傾斜簾板を縦配列で列設し、当該各傾斜簾板の収容空間側の部分には防虫用の網材を貼って、防雨、防虫構造で、かつ、通気性構造とした処理機本体と、
前記処理機本体の開口上部に、この処理機本体内に配置される回転撹拌槽の上部側を覆うようにして開閉可能に連結されるとともに、前記処理機本体に対して係止金具により係止又は係止解除され、正面側、背面側には前記処理機本体と同様な通気のための傾斜簾板を各々配置し、当該傾斜簾板の内側には防虫用の網材を貼って、防雨、防虫構造で、かつ、通気性構造とした把持部付の屋根状の蓋体と、
前記凹陥部に装着される前記回転撹拌槽の軸支部外側に基部側が取り付けられるとともに、突出端側が前記処理機本体の側面に設けた受穴に対して垂直方向に変位する構造でもって固定結合したり、固定解除したりするよう構成した操作片を具備して前記貫通軸体を回転操作する操作ハンドルと、
を有し、前記通気性構造とした処理機本体と通気性構造の回転撹拌槽との二重通気構造としたことを特徴とする家庭用生ゴミ処理機。
【請求項４】
中心部に貫通軸体を配置した通気性を有する円筒状又は多角筒状のドラム型で、内部に菌床資材、処理物の撹拌空間を、両側面中央部に各々前記貫通軸体を支持する突条付直方体形状の軸支部を備え、外周部に外周方向にスライドして菌床資材、処理物の投入口を開口又は閉塞する摘み付スライド扉を備える回転撹拌槽と、
有底で上部が開口し、両側面の上端中央部に前記回転撹拌槽の各軸支部を水平配置で着脱可能に支持する前記突条が嵌合する受溝付の凹陥部を備え、内部に前記回転撹拌槽の下部側を収容する収容空間を有する四角箱形状に形成され、当該四角箱形状の正面部、背面部には水平方向配置で、かつ、通気のための間隔を隔て複数枚の傾斜簾板を縦配列で列設し、当該各傾斜簾板の収容空間側の部分には防虫用の網材を貼って、防雨、防虫構造で、かつ、通気性構造とした処理機本体と、
前記処理機本体の開口上部に、この処理機本体内に配置される回転撹拌槽の上部側を覆うようにして開閉可能に連結されるとともに、前記処理機本体に対して係止金具により係止又は係止解除され、正面側、背面側には前記処理機本体と同様な通気のための傾斜簾板を各々配置し、当該傾斜簾板の内側には防虫用の網材を貼って、防雨、防虫構造で、かつ、通気性構造とした把持部付の屋根状の蓋体と、
前記凹陥部に装着される前記回転撹拌槽の軸支部外側に基部側が取り付けられるとともに、突出端側が前記処理機本体の側面に設けた受穴に対して垂直方向に変位する構造でもって固定結合したり、固定解除したりするよう構成した操作片を具備して前記貫通軸体を回転操作する操作ハンドルと、
を有し、前記通気性構造とした処理機本体と通気性構造の回転撹拌槽との二重通気構造で、電気・機械エネルギーを用いず、操作ハンドルの手動のみによる回転操作で回転撹拌槽内の菌床資材、処理物の撹拌を行い生ゴミ処理を促進可能としたことを特徴とする家庭用生ゴミ処理機。
【発明の詳細な説明】
【技術分野】
【０００１】
本発明は、電気、機械エネルギーを一切使用することなく、しかも生ゴミ等の処理効率がよく、かつ、低臭気で、操作性にも優れた家庭用生ゴミ処理機に関するものである。
【背景技術】
【０００２】
家庭用生ゴミ処理機としては、従来バイオ式が多く採用されていたが、木チップやおが屑などをベースにした菌床資材の交換頻度が高いことや金額が高価であることから、維持費用が意外に大きく、現在の主流は乾燥型という状況にある。
【０００３】
しかしながら、乾燥型は電気エネルギーを用いて生ゴミを乾燥処理するだけで、その後に焼却処分されるという現状のため、最初から焼却しても、エネルギー負荷や温暖化ガス（ＣＯ２）発生量の点からはあまり違いはなく、臭う生ごみを臭いが少ない状態で保管するというユーザー側の利点だけで、環境的には良いとは言えないのが現状となっている。
【０００４】
むしろ、加熱触媒を用いた脱臭に無駄なエネルギーを使っていることを考えると、最初から焼却した方がエネルギー負荷としては低い可能性もある。
【０００５】
また、業務用でも、同じような状況で、バイオ型にしても、水分蒸発や臭気低減（脱臭）を電気エネルギーに頼ることで成り立っている製品が多い状況となっている。
【０００６】
このような状況で、本願出願人は、エネルギー負荷の低い業務用生ゴミ処理機を開発し、特許として登録（特許３９９１１１３号）されたが、業務用で大型になるという性格上、菌床資材と生ごみの攪拌動作や、換気に若干の電力を使用するため、従来比のエネルギー負荷は低いものの、エネルギー負荷を完全にゼロにするには至らなかった。
【０００７】
特許文献１には、通気性を有し内壁を不織布で被覆するとともに、内部に生ゴミを処理する菌床を収容する収容空間を備えた回転可能な装置本体を具備し、この装置本体を手動回転操作するように構成した生ゴミ処理装置が提案されている。
【０００８】
特許文献２には、箱型状の分解処理槽を通気性部材で形成するとともに、分解処理槽内に手動で回転する羽根状部材を配置した家庭用生ゴミ処理装置が提案されている。
【０００９】
しかし、特許文献１、特許文献２の場合、いずれも装置本体単独で分解処理槽を構成しており、屋外に設置して雨水が降り注ぐような場合、分解処理槽内に水が浸入して生ゴミ処理機能に悪影響を及ぼすという不具合がある。
特に、特許文献１は通気性と非透水性を有するシートを使用するとあり、非透水性を優先すると、通気性が不足しがちになる。また、一部のアブなどの昆虫がシートの外側から内側に卵を産み付けることもある。特許文献２は通気性部材として合成木材などが挙げられているが、これらの部材は透湿性があっても通気性は殆ど無く、少なくとも微生物の活動に必要な酸素供給と蒸発水分の発散には貢献できない程度といえる。また、固定槽内を攪拌翼が回転するため、通気性部材は処理残さで目詰まりする可能性が非常に高い。
【特許文献１】特開２００２−３６１２１４号公報
【特許文献２】特開２００５−０２８３４４号公報
【発明の開示】
【発明が解決しようとする課題】
【００１０】
本発明が解決しようとする問題点は、人力以外の電気、機械エネルギーを一切使用することなく、しかも生ごみ等の処理効率がよく、かつ、低臭気で、操作性にも優れた簡略構造の家庭用生ゴミ処理機が存在しない点である。
【課題を解決するための手段】
【００１１】
本発明に係る家庭用生ゴミ処理機は、中心部に貫通軸体を配置した通気性を有する円筒状又は多角筒状のドラム型で、内部に菌床資材、処理物の撹拌空間を、両側面中央部に各々前記貫通軸体を支持する軸支部を備え、外周部に開閉可能な菌床資材、処理物の投入口を備える回転撹拌槽と、有底で上部が開口し、両側面の上端中央部に前記回転撹拌槽の各軸支部の支持部を備え、内部に前記回転撹拌槽の下部側を収容する収容空間を有する四角箱形状に形成され、当該四角箱形状の正面部、背面部には水平方向配置で、かつ、通気のための間隔を隔て複数枚の傾斜簾板を縦配列で列設し、当該各傾斜簾板の収容空間側の部分には防虫用の網材を貼って、防雨、防虫構造で、かつ、通気性構造とした処理機本体と、前記処理機本体の開口上部に、この処理機本体内に配置される回転撹拌槽の上部側を覆うようにして開閉可能に連結され、正面側、背面側には前記処理機本体と同様な通気のための傾斜簾板を各々配置し、当該傾斜簾板の内側には防虫用の網材を貼って、防雨、防虫構造で、かつ、通気性構造の蓋体と、回転撹拌槽の軸支部外側に取り付けた前記貫通軸体を回転操作する操作ハンドルと、を有し、前記通気性構造とした処理機本体と通気性構造の回転撹拌槽との二重通気構造としたことを最も主要な特徴とする。
【発明の効果】
【００１２】
請求項１記載の発明によれば、上記構成の処理機本体と蓋体とにより形成される空間内に菌床資材、処理物を入れる回転撹拌槽を配置し、操作ハンドルにより回転撹拌槽を回転する構成としたことによって、人力以外の電気、機械エネルギーを一切使用することなく、しかも生ゴミ等の処理効率がよく、かつ、低臭気で、前記通気性構造とした処理機本体と通気性構造の回転撹拌槽との二重通気構造によって雨水の浸入や昆虫類が内部に卵を産み付ける等の悪影響も回避できる家庭用生ゴミ処理機を提供することができる。
【００１３】
請求項２記載の発明によれば、請求項１記載の発明と同様な効果を奏するとともに、回転撹拌槽にスライド扉を備えているので処理物等が不用意に外に飛び出したり、開いた蓋が処理機本体の中で引っかかるというような不都合を回避することもでき、また回転撹拌槽の交換等の操作性にも優れた簡略構造の家庭用生ゴミ処理機を提供することができる。
【００１４】
請求項３記載の発明によれば、請求項１記載の発明と同様な効果を奏するとともに、回転撹拌槽の処理機本体に対する装着、取り外しも的確、かつ、確実に行うことができ、更に、操作ハンドルの扱いも簡便な家庭用生ゴミ処理機を提供することができる。
【００１５】
請求項４記載の発明によれば、請求項３記載の発明と同様な効果を奏するとともに、電気・機械エネルギーを全く用いず、操作ハンドルの手動のみによる回転操作で回転撹拌槽内の菌床資材、処理物の撹拌を行い生ゴミ処理を促進できる家庭用生ゴミ処理機を提供することができる。
【発明を実施するための最良の形態】
【００１６】
本発明は、人力以外の電気、機械エネルギーを一切使用することなく、しかも生ゴミ等の処理効率がよく、かつ、低臭気で、操作性にも優れた簡略構造の家庭用生ゴミ処理機を提供するという目的を有するものである。
【００１７】
本発明の家庭用生ゴミ処理機は、中心部に貫通軸体を配置した通気性を有する円筒状又は多角筒状のドラム型で、内部に菌床資材、処理物の撹拌空間を、両側面中央部に各々前記貫通軸体を支持する突条付直方体形状の軸支部を備え、外周部に外周方向にスライドして菌床資材、処理物の投入口を開口又は閉塞する摘み付スライド扉を備える回転撹拌槽と、有底で上部が開口し、両側面の上端中央部に前記回転撹拌槽の各軸支部を水平配置で着脱可能に支持する前記突条が嵌合する受溝付の凹陥部を備え、内部に前記回転撹拌槽の下部側を収容する収容空間を有する四角箱形状に形成され、当該四角箱形状の正面部、背面部には水平方向配置で、かつ、通気のための間隔を隔て複数枚の傾斜簾板を縦配列で列設し、当該各傾斜簾板の収容空間側の部分には防虫用の網材を貼って、防雨、防虫構造で、かつ、通気性構造とした処理機本体と、前記処理機本体の開口上部に、この処理機本体内に配置される回転撹拌槽の上部側を覆うようにして開閉可能に連結されるとともに、前記処理機本体に対して係止金具により係止又は係止解除され、正面側、背面側には前記処理機本体と同様な通気のための傾斜簾板を各々配置し、当該傾斜簾板の内側には防虫用の網材を貼って、防雨、防虫構造で、かつ、通気性構造とした把持部付の屋根状の蓋体と、前記凹陥部に装着される前記回転撹拌槽の軸支部外側に基部側が取り付けられるとともに、突出端側が前記処理機本体の側面に設けた受穴に対して垂直方向に変位する構造でもって固定結合したり、固定解除したりするよう構成した操作片を具備して前記貫通軸体を回転操作する操作ハンドルと、を有し、前記通気性構造とした処理機本体と通気性構造の回転撹拌槽との二重通気構造とした構成で上記目的を実現した。
【実施例】
【００１８】
以下に、本発明の実施例に係る家庭用生ゴミ処理機について図１乃至図６を参照して詳細に説明する。
【００１９】
本実施例に係る家庭用生ゴミ処理機１は、図１、図２に示すように、有底で上部が開口した四角箱形状の処理機本体２と、この処理機本体２の上部を施蓋する屋根状の蓋体２１と、前記処理機本体２に着脱可能に装着される通気性を有する円筒状のドラム型の回転撹拌槽４１と、この回転撹拌槽４１を手動にて回転操作する操作ハンドル５１と、を有している。
【００２０】
前記処理機本体２は、各々四角枠形状の正面部３、背面部４、右側面部５、左側面部６及び底板部７を一体的に組み込み、内部に回転撹拌槽４１の下部側を収容する収容空間１４を有する四角箱形状にした構造であり、前記正面部３及び背面部４の下部両隅には、合計４個の脚金具８を配置して、これら脚金具８を介して地面等に設置するように構成している。
【００２１】
前記正面部３、背面部４は、各々防雨、防虫構造で、かつ、通気性構造としている。すなわち、前記正面部３、背面部４には、水平方向配置で、かつ、通気のための間隔を隔て複数枚（例えば７枚）の傾斜簾板９が縦配列で列設されている。また、各傾斜簾板９の収容空間１４側の部分には、網材（防虫網）１０が貼られている。
【００２２】
このような正面部３、背面部４の構造によって、処理機本体２の正面側及び背面側を防雨、防虫構造で、かつ、外部との通気性を確保する自然対流換気方式の構成としている。
【００２３】
前記右側面部５、左側面部６は、各々上端に、図５、図６に示すように、横枠材１１を備え、この横枠材１１の中央部に回転撹拌槽４１を水平配置で着脱可能に支持するための受溝１３付の凹陥部１２を設けている。
【００２４】
前記蓋体２１は、図１乃至図５に示すように、前記処理機本体２の開口上部を前記回転撹拌槽４１の上部側を覆うようにして開閉可能に配置している。すなわち、前記蓋体２１は、前記処理機本体２の開口に対応する形状の下側開口を有し、かつ、上部中央を側面から見て山形状に突出させた蓋枠体２２と、この蓋枠体２２の上部に一体配置した側面山形状の屋根体２３とを有している。
【００２５】
前記蓋枠体２２の背面側端部と、前記処理機本体２の背面部４とにわたって図３に示すように蝶番２８を配置し、蓋体２１を処理機本体２に開閉可能に連結している。
【００２６】
前記処理機本体２の正面部３と、前記蓋枠体２２の正面側とにわたって錠構造の係止具３１が配置され、前記蓋体２１を処理機本体２に強固に係止し又は係止解除し得るように構成している。
【００２７】
前記蓋枠体２２の正面側、背面側には、図２に示すように、前記処理機本体２の場合と同様な通気のための一枚の傾斜簾板２４が各々配置されている。前記傾斜簾板２４の内側にも網材１０が貼られている。
【００２８】
また、前記蓋枠体２２の右側面側、左側面側には、各々図１、図４及び図５に示すように、略三角形状の抜穴２５が設けられとともに、前記抜穴２５の近傍に固着した離隔部材２６を介して前記抜穴２５の外側を通気性を確保しつつ覆う遮蔽板２７が取り付けられている。前記抜穴２５の内側にも網材１０が貼られている。
【００２９】
このような蓋体２１の構造により、処理機本体２の上部における蓋体２１自体で囲む空間を防雨、防虫構造とし、かつ、通気性を確保する自然対流換気方式の構成としている。
【００３０】
前記屋根体２３の正面側の端部近傍には、蓋体２１の開閉操作用の把持部材２９を取り付けている。
【００３１】
また、前記処理機本体２の右側面部５の内側と、前記蓋枠体２２の右側面内側との間に、図３に示すように、ステー（ストッパー）３０が配置され、前記蓋枠体２２を図４に示すような大きく開いた位置で停止し得るように構成している。
前記回転撹拌槽４１は、図２乃至図４及び図６に示すように、中心部に貫通軸体４２を配置した通気性を有する円筒状のドラム型に形成されている。
【００３２】
更に、回転撹拌槽４１の内部に菌床資材６１、生ゴミ等の処理物６２の撹拌空間４３を備え、両側面中央部に各々前記貫通軸体４２を支持する突条４５付の直方体形状の軸支部４４を備えている。
【００３３】
前記回転攪拌槽４１は、骨組に通気性を有するメッシュ材を貼ることにより構成していて、メッシュ材は菌床資材６１、処理物６２、処理後の残さが目から多くこぼれない程度の開き目で、かつ、できるだけ開口率が高いものが良い。また、このような回転攪拌槽４１を回転させるため、固定槽に比べて目詰まりが起こりにくいという特徴もある。
【００３４】
前記回転撹拌槽４１の外周部に、外周方向にスライドして前記菌床資材６１、処理物６２の投入口４６を開口又は閉塞する摘み４８付のスライド扉４７を備えている。
【００３５】
このようなスライド扉４７を設けたことにより、回転撹拌槽４１の回転時に不用意に開くことがなくなり、処理物６２等が外に飛び出す不都合を回避できる。また、開いたとしても処理機本体２内部で引っかかることがない。
【００３６】
前記突条４５付の軸支部４４の前記処理機本体２における受溝１３付の凹陥部１２に対する着脱状態を図６に示す。
すなわち、前記回転撹拌槽４１を前記処理機本体２に装着する場合には、前記蓋体２１を図４に示すように大きく開いた状態とし、回転撹拌槽４１の両軸支部４４を、処理機本体２における両凹陥部１２上に位置するようにして回転撹拌槽４１を真直ぐ下方に降下させる。
【００３７】
これにより、前記軸支部４４の突条４５が前記凹陥部１２の受溝１３に没入する状態で両軸支部４４が両凹陥部１２内に収まり、回転撹拌槽４１を処理機本体２により回転可能に、かつ、しっかりと支持することができる。
【００３８】
前記回転撹拌槽４１を前記処理機本体２から取り出す場合には、装着時とは逆に回転撹拌槽４１を真直ぐ上方に持ち上げるだけの簡略操作でよいことになる。
【００３９】
前記操作ハンドル５１は、図１、図５、図６等に示すように、基部５２側から突出端５３側に真直に突設されるとともに、基部５２側が前記回転撹拌槽４１の軸支部４４の外側に貫通軸体４２に連結する状態で取り付けられている。
【００４０】
また、突出端５３側に前記処理機本体２の右側面部５における中央下部位置に設けた受穴５ａに対して垂直方向に変位（図５における矢印ａ、ｂ方向に変位する構造）で固定結合、固定解除可能に配置した操作片５４を備えている。
【００４１】
そして、図４に示すように、菌床資材６１、家庭用の生ゴミ籠６３から投入される処理物６２を入れた前記回転撹拌槽４１を前記処理機本体２に装着し、前記蓋体２１を閉じた状態で、前記操作ハンドル５１を貫通軸体４２を中心にして手動操作のみにて回すことで前記貫通軸体４２及び回転撹拌槽４１を回転させ、これにより、撹拌空間４３内の菌床資材６１、処理物６２を攪拌することで混合、および微生物への酸素供給や水分蒸発などに必要な通気を確保でき、低臭気で生ゴミ処理を促進するように構成している。
【００４２】
図７に、前記回転撹拌槽４１における菌床資材６１を収容する撹拌空間４３内に家庭用の生ゴミ籠６３から処理物６２を投入する状態を示す。
【００４３】
図示する本実施例に係る家庭用生ゴミ処理機１によれば、以下のような作用、効果を発揮する。
【００４４】
すなわち、本実施例に係る家庭用生ゴミ処理機１においては、菌床資材６１、処理物６２を入れた通気性を有する回転撹拌槽４１の攪拌動作を上述したように前記操作ハンドル５１による手動式で行うとともに、処理機本体２内及び蓋体２１内の換気を既述したように自然対流換気方式としている。
【００４５】
従って、高い撹拌効率により菌床資材６１の槽通気性部材（メッシュ材）への目詰まり防止効果、そして、自然通気により、菌床資材６１を常に好気的に保ちつつ、活性化した微生物の発酵熱による最適な菌床温度の維持と水分の蒸発を外部のエネルギーなしで可能にすること、すなわち、外部のエネルギーなしで微生物を活性化させる環境を作り出すことができ、これにより、生ゴミ処理を電気エネルギー等を全く使用しない人力のみで的確に行うことができる。
【００４６】
また、生ゴミ等の処理物６２の分解処理で発生した臭気や二酸化炭素も、自然対流により大気中に自動的に放散することができ、消臭性の点でも極めて優れている。
【００４７】
更にまた、処理機本体２及び蓋体２１を防雨、防虫構造としているので、この家庭用生ゴミ処理機１を屋外で使用しても雨水や虫類の影響を受けることなく生ゴミ処理を実行できる。
【００４８】
更に、前記回転撹拌槽４１を処理機本体２から取り外し可能としているので、回転撹拌槽４１内の残渣の排出や回転撹拌槽４１の交換、メンテナンスが簡略であるという利点もある。
【００４９】
なお、前記回転撹拌槽４１としては、上述した円筒型の他、２４角形、１６角形等のような多角形筒状のドラム型とすることも勿論可能である。
【産業上の利用可能性】
【００５０】
本発明の家庭用生ゴミ処理機１は、主として家庭用の生ゴミ処理用として適用する場合の他、小規模飲食店、生ゴミを排出する小規模果物店、野菜等の販売店等用の生ゴミ処理装置としても応用可能である。
【図面の簡単な説明】
【００５１】
【図１】本発明の実施例に係る家庭用生ゴミ処理機の施蓋状態の外観斜視図である。
【図２】本実施例に係る家庭用生ゴミ処理機の右側面部を切除した状態の概略斜視図である。
【図３】本実施例に係る家庭用生ゴミ処理機の蓋体を途中まで開いた状態の外観斜視図である。
【図４】本実施例に係る家庭用生ゴミ処理機の蓋体を大きく開いた状態の外観斜視図である。
【図５】本実施例に係る家庭用生ゴミ処理機の縦断面図である。
【図６】本実施例に係る家庭用生ゴミ処理機における回転撹拌槽と、処理機本体の受溝付の凹陥部との着脱状態を示す概略説明図である。
【図７】本実施例に係る家庭用生ゴミ処理機の回転撹拌槽における菌床資材を収容する撹拌空間内に処理物を投入する状態を示す概略説明図である。
【００５２】
１    家庭用生ゴミ処理機
２    処理機本体
３    正面部
４    背面部
５    右側面部
５ａ  受穴
６    左側面部
７    底板部
８    脚金具
９    傾斜簾板
１０  網材
１１  横枠材
１２  凹陥部
１３  受溝
１４  収容空間
２１  蓋体
２２  蓋枠体
２３  屋根体
２４  傾斜簾板
２５  抜穴
２６  離隔部材
２７  遮蔽板
２８  蝶番
２９  把持部材
３０  ステー
３１  係止具
４１  回転撹拌槽
４２  貫通軸体
４３  撹拌空間
４４  軸支部
４５  突条
４６  投入口
４７  スライド扉
４８  摘み
５１  操作ハンドル
５２  基部
５３  突出端
５４  操作片
６１  菌床資材
６２  処理物
６３  生ゴミ籠
【図１】
0005079579.tif 000002
【図２】
0005079579.tif 000003
【図３】
0005079579.tif 000004
【図４】
0005079579.tif 000005
【図５】
0005079579.tif 000006
【図６】
0005079579.tif 000007
【図７】
0005079579.tif 000008